(57)【要約】【課題】受け皿が勢いよく調理庫に収納される際に生じる音を軽減できるガス調理器具を提供する。【解決手段】ビルトインコンロによれば、開閉扉１５がグリル庫４５に対する受け皿６０の出し入れに連動して回動する。受け皿６０がグリル庫４５内に収納される場合、受け皿６０を保持する保持枠４０に設けられた当接部３６が、開閉扉１５に連結された連結アーム５３の一端に軸支された磁性ローラ５５に当接する。この当接部３６が磁性ローラ５５をグリル庫４５の奥側に押し込むことで開閉扉１５が閉じる方向に回動する。ここで、当接部３６には磁性ローラ５５に反発する磁石６１が固定されている。よって、当接部３６が磁性ローラ５５に近づくほど磁石６１と磁性ローラ５５との間に反発力が働き、当接部３６の勢いが弱められるので、当接部３６が磁性ローラ５５に当接する際に生じる音を軽減できる。【選択図】図４
2010022501.tif 000002
【特許請求の範囲】
【請求項１】
前面に開口部が形成され、被調理物の調理を行うための調理庫と、当該調理庫に対して出し入れされ、被調理物が載置される焼き網を備えた受け皿とを備えたガス調理器具において、
前記受け皿を保持すると共に、前記調理庫内に収納される保持手段と、
当該保持手段に設けられた第１磁石と、
前記調理庫に設けられると共に、前記第１磁石が前記調理庫側に移動する軌跡上に配置され、前記第１磁石に反発する第２磁石と
を備えたことを特徴とするガス調理器具。
【請求項２】
前記開口部近傍に設けられ、前記調理庫の左右方向に延設された支軸と、
当該支軸に挿通され、前記支軸を中心に前記調理庫の上下方向に回動して前記開口部を開閉する開閉扉と、
当該開閉扉を開く方向に付勢する付勢手段と、
前記調理庫の側壁に設けられ、前記調理庫の前後方向に延設された長孔と、
当該長孔に遊挿され、前記調理庫の左右方向に設けられた長孔軸と、
一端が前記開閉扉に回動可能に連結され、他端が前記長孔軸に連結されたアーム状の連結部材と、
前記保持手段に設けられ、前記受け皿が前記保持手段と共に前記調理庫内に収納される際に、前記長孔軸に当接し、前記長孔軸を前記長孔に沿って前記調理庫の後方に移動させることにより、前記連結部材を介して、前記付勢手段の付勢力に抗して前記開閉扉を閉じる方向に回動させる当接部と
を備え、
前記第１磁石は、前記当接部に設けられ、
前記第２磁石は、前記長孔軸に設けられたことを特徴とする請求項１に記載のガス調理器具。
【発明の詳細な説明】
【技術分野】
【０００１】
本発明は、ガス調理器具に関し、詳細には、調理庫内でガスを燃焼させて被調理物の調理を行うガス調理器具に関する。
【背景技術】
【０００２】
従来より、調理庫（グリル庫、又は加熱庫とも呼ぶ）内でガスを燃焼させて、魚等の被調理物の加熱調理を行うグリルを備えたガス調理器具（例えば、ガスコンロ）が知られている。調理庫の前面には開口部が形成され、該開口部から受け皿を外部に引き出すことで、受け皿に載置された焼き網に被調理物を載せ、又は取り出すことができる。受け皿には開口部を開閉するための開閉扉が一体となっており、受け皿が調理庫内に収納されると同時に、開口部が開閉扉で閉塞されるようになっている。
【０００３】
また、最近では、開閉扉と受け皿とが分離されたものも利用されている。例えば、受け皿と開閉扉とが分離されているとともに、加熱庫に対する受け皿の出し入れに連動して開閉扉が開口部を開閉できるガス調理器具が知られている（例えば、特許文献１参照）。このガス調理器具では、受け皿は、加熱庫の底壁に設けられたガイドに沿って直線的にスライドする。そして、その受け皿のスライド動作に連動して開閉扉が開口部を開閉する。このガス調理器具において、加熱庫から受け皿を引き出した状態では、受け皿に開閉扉が付いていないことから、焼き網に対して被調理物が載せ易くなると共に、焼き網に載置された被調理物を容易に取り出すことができる。
【０００４】
具体的な構造として、例えば、図９，図１０に示す従来のビルトインコンロ２００のように、筐体２０１内に組み込まれた調理庫２０２の前面には開口部２０５が設けられている。その開口部２０５には開閉扉２１０が開閉可能に設けられている。開閉扉２１０の両側には、平面視コ字状に形成された連杆２１５の両端が連結されている（図１０参照）。連杆２１５は、一対の両側部２１５ａと、該一対の両側部２１５ａの間に設けられた先端連結部２１５ｂ（本発明の長孔軸に相当）とからなる。先端連結部２１５ｂは、調理庫２０２の側壁２０２ａ，２０２ｂに設けられた長孔２７０に挿通すると共に、受け皿２０７の背面２０７ａに当接するようになっている。
【０００５】
さらに、先端連結部２１５ｂの長手方向両端には、調理庫２０２の側壁２０２ａ，２０２ｂに一端が各々固定されたバネ２３０，２３０の各他端がそれぞれ固定されている。これらバネ２３０によって、先端連結部２１５ｂは調理庫２０２の前方向に付勢される。よって、その先端連結部２１５ｂに当接する受け皿２０７も調理庫２０２の前方向に付勢される。
【０００６】
このような構造において、受け皿２０７を調理庫２０２から引き出す場合、受け皿２０７に連結された把手２０８を調理庫２０２の前方に引き出す。すると、受け皿２０７が調理庫２０２の前方向に移動し、バネ２３０の付勢力によって先端連結部２１５ｂが長孔２１７に沿って調理庫２０２の前方向に移動する。さらに、その先端連結部２１５ｂに連結された両側部２１５ａを介して、開閉扉２１０が支軸２１１を中心に調理庫２０２の上方に回動するので、開口部２０５が開かれる。一方、受け皿２０７を調理庫２０２に収納する場合、受け皿２０７に連結された把手２０８を調理庫２０２に押し込む。すると、受け皿２０７の背面２０７ａが連杆２１５の先端連結部２１５ｂに当接するので、先端連結部２１５ｂは調理庫２０２の奥側に押し込まれる。つまり、先端連結部２１５ｂはバネ２３０の付勢に対向して長孔２１７に沿って調理庫２０２の奥側に移動する。これにより、先端連結部２１５ｂに連結された両側部２１５ａを介して、開閉扉２１０が支軸２１１を中心に調理庫２０２の下方に回動するので、開口部２０５が閉じられる。
【特許文献１】実開平６―４５１３号公報
【発明の開示】
【発明が解決しようとする課題】
【０００７】
しかしながら、ユーザによって把手２０８が勢いよく調理庫２０２に押し込まれた場合、受け皿２０７は調理庫２０２内に収納されるが、背面２０７ａが連杆２１５の先端連結部２１５ｂに勢いよく衝突してしまい、その際に大きな音が生じるという問題点があった。
【０００８】
本発明は、上記課題を解決するためになされたものであり、受け皿が勢いよく調理庫に収納される際に生じる音を軽減できるガス調理器具を提供することを目的とする。
【課題を解決するための手段】
【０００９】
上記目的を達成するために、請求項１に係る発明のガス調理器具は、前面に開口部が形成され、被調理物の調理を行うための調理庫と、当該調理庫に対して出し入れされ、被調理物が載置される焼き網を備えた受け皿とを備えたガス調理器具において、前記受け皿を保持すると共に、前記調理庫内に収納される保持手段と、当該保持手段に設けられた第１磁石と、前記調理庫に設けられると共に、前記第１磁石が前記調理庫側に移動する軌跡上に配置され、前記第１磁石に反発する第２磁石とを備えている。
【００１０】
また、請求項２に係る発明のガス調理器具は、請求項１に記載の発明の構成に加え、前記開口部近傍に設けられ、前記調理庫の左右方向に延設された支軸と、当該支軸に挿通され、前記支軸を中心に前記調理庫の上下方向に回動して前記開口部を開閉する開閉扉と、当該開閉扉を開く方向に付勢する付勢手段と、前記調理庫の側壁に設けられ、前記調理庫の前後方向に延設された長孔と、当該長孔に遊挿され、前記調理庫の左右方向に設けられた長孔軸と、一端が前記開閉扉に回動可能に連結され、他端が前記長孔軸に連結されたアーム状の連結部材と、前記保持手段に設けられ、前記受け皿が前記保持手段と共に前記調理庫内に収納される際に、前記長孔軸に当接し、前記長孔軸を前記長孔に沿って前記調理庫の後方に移動させることにより、前記連結部材を介して、前記付勢手段の付勢力に抗して前記開閉扉を閉じる方向に回動させる当接部とを備え、前記第１磁石は、前記当接部に設けられ、前記第２磁石は、前記長孔軸に設けられている。
【発明の効果】
【００１１】
請求項１に係る発明のガス調理器具では、受け皿は保持手段に保持された状態で調理庫内に収納される。この受け皿が調理庫内に収納される過程において、保持手段に設けられた第１磁石が調理庫に設けられた第２磁石に向かって移動する。すると、第１磁石は第２磁石に対して反発するため、受け皿が調理庫に移動する速度が弱められる。これにより、ユーザが受け皿を勢いよく収納する場合に、第１磁石と第２磁石との反発力によってその勢いが弱められるので、受け皿が調理庫内に収納される際に生ずる音を軽減できる。また、受け皿や保持手段が調理庫に対して勢いよく衝突するのを防止できるので、調理庫が損傷するのを防止できる。
【００１２】
請求項２に係る発明のガス調理器具では、請求項１に記載の発明の効果に加え、調理庫の開口部は、支軸を中心に回動する開閉扉によって開閉される。開閉扉は付勢手段によって常時開く方向に付勢されている。受け皿が保持手段と共に調理庫内に収納される場合、長孔に遊挿された長孔軸に対して、保持手段に設けられた当接部が当接し、長孔軸を調理庫の後方に移動させる。すると、その長孔軸に連結部材を介して連結された開閉扉が閉じる方向に回動する。このようにして、受け皿の調理庫に対する出し入れに連動させて、開閉扉を開閉することができる。さらに、この受け皿が調理庫内に収納される過程において、当接部に設けられた第１磁石が、長孔軸に設けられた第２磁石に向かって移動すると、第１磁石と第２磁石との反発力が働く。従って、ユーザが受け皿を勢いよく収納した場合でも、第１磁石と第２磁石との反発力によってその勢いが弱められるので、受け皿が調理庫内に収納される際に生ずる音を軽減できる。
【発明を実施するための最良の形態】
【００１３】
以下、本発明の一実施形態であるビルトインコンロ１について、図面を参照して説明する。図１は、ビルトインコンロ１の斜視図である。図２は、受け皿６０を引き出した状態のビルトインコンロ１の斜視図である。図３は、受け皿６０をレール機構３０から取り外した状態のビルトインコンロ１の斜視図である。図４は、図２に示すＩ−Ｉ線矢視方向断面図である。図５は、図１に示すＩＩ−ＩＩ線矢視方向断面図である。図６は、開閉扉１５の斜視図である。図７は、図４に示す保持枠４０の周囲の部分拡大図である。図８は、連結アーム５３が連結された開閉扉１５の右側面図である。なお、図１に示すビルトインコンロ１が本発明の「ガス調理器具」に相当する。
【００１４】
はじめに、ビルトインコンロ１の全体構造について概略的に説明する。図１に示すように、ビルトインコンロ１は、略直方体状の筐体２を備えている。筐体２の天面にはトッププレート４が設けられている。トッププレート４の左右両側には、ガスバーナ５，７が各々設けられ、それらガスバーナ５，７に挟まれる中央奥側には、とろ火用のガスバーナ６が設けられている。これらガスバーナ５，６，７の各中心部には、調理容器の底部に当接して、その底部温度を検知するための温度センサ５ａ，６ａ，７ａが各々設けられている。ガスバーナ５，６，７の各上部周囲には、調理容器を載置するための五徳９，１０，１１が各々設けられている。
【００１５】
トッププレート４の後端側には、後述するグリル庫４５（図４参照）に連通する排気口１３が設けられている。排気口１３には、複数の孔を有し、グリル庫４５内からの炎のあふれを抑制するための一対の安全網１４ａ，１４ｂが設置されている。
【００１６】
筐体２の幅方向中央の内側には、筐体２の前後方向に長手を有し、被調理物を庫内で加熱するためのグリル庫４５（図５参照）が組み込まれている。図２，図３に示すように、グリル庫４５の前面には開口部８が形成され、該開口部８は、筐体２の正面中央に形成された矩形状の開口１２の内側に配置されている。開口部８の上端部にはグリル庫４５の左右方向に延びる支軸４８が設けられ、その支軸４８に対して開閉扉１５が回動可能に軸支されている。これにより、開口部８は開閉扉１５によって開閉される。開閉扉１５の下方には、受け皿６０をグリル庫４５から引き出すための取手部材１６が設けられている。なお、図４に示すグリル庫４５が本発明の「調理庫」に相当する。
【００１７】
図２に示すように、受け皿６０は、グリル庫４５（図３参照）内に設けられたレール機構３０によって、グリル庫４５の内側と外側との間をスライド可能に支持されている。よって、取手部材１６を手前に引くと、その取手部材１６の裏側に連結された受け皿６０が庫外にスライドして引き出されるようになっている。この受け皿６０には焼き網２７が載置されている。よって、受け皿６０を庫外に引き出した状態において、焼き網２７上に被調理物を載せたり、焼き網２７上に載せられた被調理物を取り出すことができる。さらに、本実施形態では、図３に示すように、受け皿６０はレール機構３０に対して着脱可能である。よって、加熱調理後に、受け皿６０をレール機構３０から取り外すことによって、受け皿６０に載せられた被調理物を所望の場所にそのまま運ぶことができる。
【００１８】
また、グリル庫４５には、レール機構３０による受け皿６０のスライド動作に連動して、開閉扉１５を開閉させるための扉連動機構５０（図４参照）が設けられている。この扉連動機構５０によれば、図４，図５に示すように、受け皿６０を庫内に収納することで開閉扉１５は自動的に閉じられ、その反対に、受け皿６０を庫外に引き出すことで開閉扉１５が自動的に開かれる。なお、レール機構３０の構造、レール機構３０に対する受け皿６０の着脱構造、および扉連動機構５０の構造については後述する。
【００１９】
ところで、図１，図２に示すように、筐体２の正面左側には、ガスバーナ５を点火するための点火スイッチ１７が設けられている。その点火スイッチ１７の右隣りには、ガスバーナ６を点火するための点火スイッチ１８が設けられている。さらに、グリル庫４５の開閉扉１５を挟んで、筐体２の正面右側には、ガスバーナ７を点火するための点火スイッチ２０が設けられている。その点火スイッチ２０の左隣りには、グリル庫４５の内側に設けられたグリルバーナ（図示外）を点火するための点火スイッチ１９が設けられている。さらに、各点火スイッチ１７〜２０の上側には、対応する各バーナの火力をそれぞれ調節するための火力調節レバー２１〜２４が各々設けられている。
【００２０】
また、筐体２の正面左下であって、点火スイッチ１７，１８の下側には、ビルトインコンロ１を操作するための操作パネル２５が回動可能に設けられている。未使用時には筐体２の内側に収納され、使用時には収納状態の操作パネル２５を押下することで、筐体２の外側に回動されて操作可能となる。一方、筐体２の正面右下であって、点火スイッチ１９，２０の下側には、ビルトインコンロ１の電源を供給する乾電池を格納するための電池ボックス２６が設けられている。
【００２１】
次に、レール機構３０の構造について説明する。図４に示すように、レール機構３０は、グリル庫４５の左右の両側壁の各内面の下端部に沿って各々固定された一対の固定レール３１と、該一対の固定レール３１の内側に沿ってグリル庫４５の前後方向にスライド可能に支持された一対の第１可動レール３２と、該一対の第１可動レール３２の内側に沿ってグリル庫４５の前後方向にスライド可能に支持された一対の第２可動レール３３とからなる。なお、図４では、一対の各レールのうち、右側の各レールについてのみ図示している。
【００２２】
そして、固定レール３１と第１可動レール３２とが互いにすれ違う間には、複数の小型ローラが並列してなるローラユニット（図示外）が配設されている。第１可動レール３２と第２可動レール３３とが互いにすれ違う間にも、同様のローラユニット（図示外）が配設されている。さらに、固定レール３１の前端側には、第１ストッパ（図示外）が設けられている。第１可動レール３２の後端側には、第１可動レール３２が引き出された際に、第１ストッパに係止する第１係止部（図示外）が設けられている。これらにより、固定レール３１から第１可動レール３２が抜けるのを防止できる。
【００２３】
また、第１可動レール３２の前端側には、第２ストッパ（図示外）が設けられている。第２可動レール３３の後端側には、第２可動レール３２が引き出された際に、第２ストッパに係止する第２係止部（図示外）が設けられている。これにより、第１可動レール３２から第２可動レール３３が抜けるのを防止できる。このような構成からなるレール機構３０において、一対の第２可動レール３２の前側には、受け皿６０を着脱可能に保持するための正面視矩形状の保持枠４０が組み付けられている。
【００２４】
ここで、保持枠４０の構造について説明する。図３に示すように、保持枠４０は、右側の第２可動レール３２に固定された長尺状の右枠部４１と、左側の第２可動レール３２に固定された長尺状の左枠部４２と、右枠部４１の前端部と左枠部４２の前端部との間に渡設された長尺状の前方枠部４３と、右枠部４１の後端部と左枠部４２の後端部との間に渡設された長尺状の後方枠部４４とからなる。これら右枠部４１、左枠部４２、前方枠部４３、後方枠部４４は、何れも長手方向に直交する断面が略Ｌ字状に形成されている。
【００２５】
そして、右枠部４１及び左枠部４２は、一対の第２可動レール３２の上面を覆いつつ、第２可動レール３２の内面に沿って略直角に屈曲されている。右枠部４１について、前方枠部４３の上面を覆う部分の外側の一端部であってグリル庫４５の前方側には、扉連動機構５０の後述する連結アーム５３の一端部に軸支された磁性ローラ５５に当接して、グリル庫４５の奥側に付勢するための当接部３６が設けられている。
【００２６】
さらに、当接部３６の右枠部４１に対向する裏面には、図７に示すように、ブロック状の磁石６１がビス７１で固定されている。この磁石６１は、後述する長孔軸５４に軸支された磁性ローラ５５（図８参照）に反発するものである。そして、左枠部４２についても、右枠部４１と同様の当接部（図示外）が設けられ、その当接部の裏面には同様の第１磁石（図示外）がビス（図示外）で固定されている。
【００２７】
このような構成からなる保持枠４０の内側に対して、受け皿６０の底部が嵌ると共に、右枠部４１及び左枠部４２に対して、受け皿６０の左右両縁部が載置されることによって、保持枠４０に受け皿６０が保持される。そして、この保持枠４０の前方枠部４３に取手部材１６が連結されている。なお、保持枠４０が本発明の「保持手段」に相当する。
【００２８】
次に、開閉扉１５の開閉構造について、図６を参照して説明する。開閉扉１５は、矩形状の本体枠９５を備えている。本体枠９５の略中央には矩形状の開口であるガラス窓部９６が形成されている。本体枠９５の左右両端部には、本体枠９５の裏面に対して略直角に延設された側面視Ｌ字型の支持部９７，９８が設けられている。これら支持部９７，９８において、開閉扉１５を上下方向に立てた状態の各上部には、支軸４８が挿通される支軸挿通孔９９が各々設けられている。それら支軸挿通孔９９の各下方には、後述する連結アーム５３の一端部を回動可能に軸支するための連結孔１００が各々設けられている。そして、本体枠９５に対して、その裏側からガラス窓部９６を覆うようにして一枚のガラス板１１０が固定されている。
【００２９】
このような構成からなる開閉扉１５において、支持部９７，９８の一対の支軸挿通孔９９，９９に対して支軸４８が挿通される。そして、その支軸４８の長手方向中央部が、グリル庫４５の開口部８を形成する開口端の上端部に固定され、支軸４８の長手方向両端部が、筐体２の開口１２を形成する各内面に固定される。これにより、開閉扉１５は支軸４８に対して独立して回動する。
【００３０】
さらに、支軸４８において、本体枠９５の内側に相当する部分の左右両側には、コイル状のトルクバネ５８が各々外挿されている。トルクバネ５８の一端部に形成されたループ状の固定部５８ａは、本体枠５９の支持部９７，９８の各内面に固定される。他方、トルクバネ５８の他端部は支軸４８に固定される。そして、固定部５８ａが略水平とした状態で、トルクバネ５８の他端部が支軸４８に対して固定される。つまり、開閉扉１５が開いた状態が、トルクバネ５８にトルクがかけられていない状態となる。そのため、開閉扉１５の自重によって下方に回動しようとしても、トルクバネ５８の付勢によって、開閉扉１５の開かれた状態が保持される。そして、開閉扉１５を閉じることによって、トルクバネ５８にトルクがかかるようになっている。なお、図６に示すトルクバネ５８が本発明の「付勢手段」に相当する。
【００３１】
次に、扉連動機構５０の構造について説明する。図４に示すように、扉連動機構５０は、開閉扉１５の支持部９７，９８（図６参照）に各々設けられた連結孔１００に一端側が回動可能に連結された連結アーム５３と、該連結アーム５３の他端部に設けられ、グリル庫４５に向かって略直角に延設された長孔軸５４と、該長孔軸５４に軸支され、磁石で形成された円柱状の磁性ローラ５５（図８参照）と、グリル庫４５の左右の側壁４６（なお、図４では、右側の側壁４６のみ図示）の下側にかつグリル庫４５の前後方向に延設され、前記磁性ローラ５５をガイドするための長孔５１とからなる。磁性ローラ５５は、保持枠４０の当接部３６に固定された磁石６１に反発する磁石で形成されている。そして、この磁性ローラ５５が本発明の「第２磁石」に相当する。
【００３２】
また、連結アーム５３は、グリル庫４５の前方に向かって膨出するように２カ所で曲げられている。長孔５１は、連結アーム５３の他端部をグリル庫４５の奥側にガイドするために、グリル庫４５の前側から奥側に向かって略水平に延設されている。さらにその奥側で上方に屈曲させることによって、開閉扉１５の閉塞時における連結アーム５３の他端部の移動を規制している。
【００３３】
次に、扉連動機構５０の動作について説明する。図４に示すように、まず、受け皿６０が庫外に引き出された状態では、開閉扉１５はトルクバネ５８の付勢によって開いた状態に保持されている。つまり、開閉扉１５は上方に跳ね上がっているので、連結アーム５３の他端部に軸支された磁性ローラ５５は、グリル庫４５の側壁４６に設けられた長孔５１の前側まで引き戻された状態となっている。次いで、受け皿６０をグリル庫４５内に収納するために、取手部材１６を筐体２に向かって押すことによって、受け皿６０をグリル庫４５の内側に向かってスライドさせる。
【００３４】
そして、保持枠４０に設けられた当接部３６が、グリル庫４５の長孔５１に遊挿された磁性ローラ５５に近づくと共に、磁石６１が磁性ローラ５５に徐々に近づく。さらに、磁石６１が磁性ローラ５５に近づけば近づくほど、磁石６１と磁性ローラ５５との反発力が強くなる。この反発力によって当接部３６の勢いが効果的に弱められる。よって、磁性ローラ５５に対して当接部３６が勢いよく衝突してしまうことを防止できるので、当接部３６が磁性ローラ５５に当接する際に生じる音を軽減することができる。
【００３５】
さらに、取手部材１６を押し込むことによって、当接部３６が磁性ローラ５５をグリル庫４５の奥側に付勢するので、磁性ローラ５５は長孔５１の内縁に沿って転動する。そして、磁性ローラ５５がグリル庫４５の奥側に移動することによって、連結アーム５３の他端部がグリル庫４５の奥側に引っ張られる。これに伴い、トルクバネ５８の付勢に抗して、開閉扉１５が引っ張られて下方に回動する。
【００３６】
こうして、受け皿６０がグリル庫４５内に収納され、取手部材１６がグリル庫４５の前方の開口端に当接した状態で開閉扉１５は完全に閉じた状態（図５参照）となる。このとき、保持枠４０の後方枠部４４に固定された突起部（図示外）が、グリル庫４５の背壁の内面下部に固定された保持ユニット（図示外）によって、左右両側から挟まれて挟持される。これにより保持枠４０がグリル庫４５内に固定される。
【００３７】
また、受け皿６０を庫外に引き出す場合は、上記説明した流れと逆である。図５に示すように、まず、取手部材１６を手前に徐々に引き出すと、磁性ローラ５５に対する当接部３６の付勢が無くなるので、当接部３６が前側に移動するのに伴って磁性ローラ５５が前方に移動する。これは、トルクバネ５８の付勢が支配的となるので、開閉扉１５が押し上げられ、これに伴って連結アーム５３の他端部に軸支された磁性ローラ５５がグリル庫４５の前方に引っ張られるからである。
【００３８】
そして、図４に示すように、磁性ローラ５５から当接部３６が離間して、受け皿６０が庫外に引き出された状態では、開閉扉１５は跳ね上げられ、グリル庫４５の開口部８を完全に露呈した状態とすることができる。
【００３９】
以上説明したように、本実施形態のビルトインコンロ１によれば、グリル庫４５の開口部８を開閉する開閉扉１５は、グリル庫４５に設けられた支軸４８を中心に回動可能に設けられている。この開閉扉１５は、扉連動機構５０によって、グリル庫４５に対する受け皿６０の出し入れに連動して回動する。扉連動機構５０では、受け皿６０がグリル庫４５内に収納される際に、その受け皿６０を保持する保持枠４０に設けられた当接部３６が、開閉扉１５に連結された連結アーム５３の一端に軸支された磁性ローラ５５に当接する。そして、当接部３６が磁性ローラ５５を長孔５１に沿ってグリル庫４５の奥側に押し込むことによって、連結アーム５３を介して開閉扉１５が閉じる方向に回動するようになっている。ここで、当接部３６には、磁性ローラ５５に反発する磁石６１が固定されている。これにより、当接部３６が磁性ローラ５５に近づけば近づくほど、磁石６１と磁性ローラ５５との反発力が強くなるので、当接部３６の勢いが効果的に弱められる。よって、磁性ローラ５５に対して当接部３６が勢いよく衝突してしまうことを防止できるので、当接部３６が磁性ローラ５５に当接する際に生じる音を軽減することができる。
【００４０】
なお、本発明に係るガス調理器具は、上記実施形態に限定されるわけではなく、その趣旨を逸脱しない範囲において種々変形してもよい。例えば、上記実施形態では、連結アーム５３の一端に磁性ローラ５５（第２磁石）を設け、その磁性ローラ５５に当接する保持枠４０の当接部３６の近傍に磁石６１（第１磁石）を固定したが、第１磁石及び第２磁石の各設置場所はこれに限定されない。例えば、取手部材１６の裏面に第１磁石を固定し、これに対向するグリル庫４５側の位置に、第１磁石に反発する第２磁石を固定してもよい。この変形例であれば、受け皿６０の移動に伴って開閉する開閉扉１５を備えたビルトインコンロ１のみならず、取手部材にガラス扉が一体に固定された従来のコンロにも本発明の適用が可能である。
【図面の簡単な説明】
【００４１】
【図１】ビルトインコンロ１の斜視図である。
【図２】受け皿６０を引き出した状態のビルトインコンロ１の斜視図である。
【図３】受け皿６０をレール機構３０から取り外した状態のビルトインコンロ１の斜視図である。
【図４】図２に示すＩ−Ｉ線矢視方向断面図である。
【図５】図１に示すＩＩ−ＩＩ線矢視方向断面図である。
【図６】開閉扉１５の斜視図である。
【図７】図４に示す保持枠４０の周囲の部分拡大図である。
【図８】連結アーム５３が連結された開閉扉１５の右側面図である。
【図９】従来のビルトインコンロ２００の一部を切断した側面図である。
【図１０】従来のビルトインコンロ２００の一部を切断した平面図である。
【符号の説明】
【００４２】
１    ビルトインコンロ
８    開口部
１５    開閉扉
３０    レール機構
３６    当接部
４０    保持枠
４５    グリル庫
４６    側壁
４８    支軸
５１    長孔
５３    連結アーム
５４    長孔軸
５５    磁性ローラ
５８    トルクバネ
６０    受け皿
６１    磁石
【図１】
2010022501.tif 000003
【図２】
2010022501.tif 000004
【図３】
2010022501.tif 000005
【図４】
2010022501.tif 000006
【図５】
2010022501.tif 000007
【図６】
2010022501.tif 000008
【図７】
2010022501.tif 000009
【図８】
2010022501.tif 000010
【図９】
2010022501.tif 000011
【図１０】
2010022501.tif 000012